(57)【特許請求の範囲】
【請求項１】
複数の縦材や横材、足場板等を組み上げて成る仮設足場に取り付けられる昇降用梯子の固定金具であって、梯子の脚柱を抱持する略コ字形状の抱持片を一対略平行に備え、これら各抱持片の基端部同士を平板状のガイド部材にて連結して固定金具本体と成し、前記ガイド部材には各抱持片と略平行に所定長さのスリットを穿設する一方、該スリットに仮設足場の横材に係止する係止クランプ基部の支持ボルトを挿通させて摺動自在に備え、梯子を仮設足場に固定するときには、前記抱持片にて梯子の脚柱を抱持させた状態で係止クランプにて仮設足場の横材に係止すると共に、固定金具本体をスリットに沿って前記横材側に摺動させ、梯子の脚柱を抱持片と仮設足場の横材とで挟持させて固定するように構成したことを特徴とする梯子固定金具。
【発明の詳細な説明】
【技術分野】
【０００１】
本発明は、工事現場や建築現場等に設置される仮設足場に対して取り付けられる昇降用梯子を固定する梯子固定金具に関する。
【背景技術】
【０００２】
一般に、工事現場や建築現場等には、工事作業用に、複数の鋼製の縦材や横材、足場板等を組み上げて成る仮設足場が設置される。前記仮設足場では、工事の規模や進捗等に応じて複数階層の足場が構築されると、作業者の上下階層への昇降用に、例えば仮設式の階段や梯子等が取り付けられることがある。
【０００３】
従来、梯子を仮設足場に取り付ける場合、例えば単純に梯子を仮設足場に立て掛けた状態で、梯子の脚柱と仮設足場の縦材や横材等とを番線等にて結束して固定するようにしているが、梯子の取り付け・取り外しの度に番線をいちいち結束・解除する必要があり非常に煩わしくて作業効率が悪い上、番線が緩むようなことがあれば梯子がぐらついて不安定となり安全面においても問題を有していると懸念される。
【０００４】
一方、上記問題に対し、例えば梯子の脚柱等に係止クランプを固着し、該係止クランプを仮設足場の横材等に係止させることで梯子を取り付けるようにしたものが提案されている（特許文献１、２参照）。上記提案によれば、係止クランプの締緩操作にて梯子の取り付け・取り外しを比較的容易に行えて作業効率に優れていると共に、係止クランプによって足場部材に確実に固定でき安全面でも優れていると予想される。
【先行技術文献】
【特許文献】
【０００５】
【特許文献１】特開平９−３２４５３０号公報
【特許文献２】実開平６−２８０９０号公報
【発明の概要】
【発明が解決しようとする課題】
【０００６】
しかしながら、上記提案にあっては、既存の梯子に代えて、梯子の脚柱等に一つ乃至複数の係止クランプを固着して成る専用の梯子を採用しているため、コスト面において不利であることが懸念される。
【０００７】
本発明は上記の点に鑑み、仮設足場に対して梯子を容易に取り付け・取り外しができ、かつ足場部材に確実に固定ができると共に、簡易な構成で安価な梯子固定金具を提供することを課題とする。
【課題を解決するための手段】
【０００８】
上記の課題を解決するために、本発明に係る梯子固定金具では、複数の縦材や横材、足場板等を組み上げて成る仮設足場に取り付けられる昇降用梯子の固定金具であって、梯子の脚柱を抱持する略コ字形状の抱持片を一対略平行に備え、これら各抱持片の基端部同士を平板状のガイド部材にて連結して固定金具本体と成し、前記ガイド部材には各抱持片と略平行に所定長さのスリットを穿設する一方、該スリットに仮設足場の横材に係止する係止クランプ基部の支持ボルトを挿通させて摺動自在に備え、梯子を仮設足場に固定するときには、前記抱持片にて梯子の脚柱を抱持させた状態で係止クランプにて仮設足場の横材に係止すると共に、固定金具本体をスリットに沿って前記横材側に摺動させ、梯子の脚柱を抱持片と仮設足場の横材とで挟持させて固定するように構成したことを特徴としている。
【発明の効果】
【０００９】
本発明に係る梯子固定金具によれば、梯子の脚柱を抱持する略コ字形状の抱持片を一対略平行に備え、これら各抱持片の基端部同士を平板状のガイド部材にて連結して固定金具本体と成し、前記ガイド部材には各抱持片と略平行に所定長さのスリットを穿設する一方、該スリットに仮設足場の横材に係止する係止クランプ基部の支持ボルトを挿通させて摺動自在に備え、梯子を仮設足場に固定するときには、前記抱持片にて梯子の脚柱を抱持させた状態で係止クランプにて仮設足場の横材に係止すると共に、固定金具本体をスリットに沿って前記横材側に摺動させ、梯子の脚柱を抱持片と仮設足場の横材とで挟持させて固定するように構成したので、仮設足場に対する梯子の取り付け・取り外しが容易に行えて作業効率に優れ、足場部材に確実に固定できて安全性も高く、また簡易な構成でかつ既存の梯子をそのまま利用可能であるためコスト面において有利である。
【図面の簡単な説明】
【００１０】
【図１】本発明に係る梯子固定金具の一実施例の（ａ）正面図、（ｂ）底面図、（ｃ）側面図である。
【図２】梯子固定金具にて梯子を固定した状態を示す正面図である。
【図３】図２の側面図であって、（ａ）梯子固定金具の固定状態を示す図、（ｂ）梯子固定金具の固定解除状態を示す図である。
【発明を実施するための形態】
【００１１】
本発明に係る梯子固定金具によれば、梯子の脚柱を抱持可能な略コ字形状の抱持片を所定間隔にて一対略平行に備え、これら各抱持片の基端部同士を平板状のガイド部材にて連結して固定金具本体と成し、前記ガイド部材の略中央部には、各抱持片と略平行に所定長さのスリットを穿設している一方、該スリットには仮設足場の横材に係止する係止クランプ基部の支持ボルトを挿通させてスリットに沿って摺動自在に備えている。
【００１２】
そして、工事現場や建築現場等に設置される仮設足場に梯子を取り付けるときには、先ず、梯子を仮設足場の所望位置に立て掛けて、固定金具本体の抱持片にて前記梯子の一方の脚柱を抱持しつつ、ガイド部材に備えた係止クランプにて仮設足場の横材に係止させる。そして、その状態で固定金具本体をガイド部材のスリットに沿って前記横材側に摺動させ、梯子の脚柱を抱持片と仮設足場の横材とで挟持させた後、係止クランプ基部の支持ボルトを締め付けて固定する。次いで、同様の手順にて梯子の他方の脚柱も固定金具にて横材に固定させ、仮設足場への梯子の取り付け作業を完了する。
【００１３】
このとき、梯子の各脚柱は、何れも固定金具の抱持片と仮設足場の横材とで隙間無く挟持された状態で堅固に固定されるため、使用中に緩んでぐらつくようなおそれもなく、高い作業安全性を確保することができる。
【００１４】
一方、仮設足場から梯子を取り外すときには、上記手順と逆の手順で行えばよく、先ず、係止クランプ基部の支持ボルトを緩め、固定金具本体をガイド部材のスリットに沿って横材から離間する側へ摺動させ、梯子の一方の脚柱を挟持状態から解放する。そして、係止クランプによる仮設足場の横材への係止を解除し、固定金具を梯子の脚柱から取り外す。次いで、同様の手順にて梯子の他方の脚柱の固定金具も取り外し、仮設足場からの梯子の取り外し作業を完了する。
【００１５】
このように、本発明の梯子固定金具によれば、仮設足場への梯子の取り付け・取り外しが容易に行えて作業効率がよく、足場部材への固定も堅固で使用中に緩むようなおそれもなくて安全性も高く、また固定金具自体の構成も簡易でかつ既存の梯子をそのまま利用できてコストを低廉に抑えられ、比較的採用のし易いものとなっている。
【実施例】
【００１６】
以下、本発明の実施例を図面に基づいて説明する。
【００１７】
工事現場や建築現場等には、複数の鋼製の縦材や横材、足場板等を組み上げて成る仮設足場が設置され、該仮設足場には作業者の昇降用の梯子Ａが取り付けられている。前記梯子Ａは、一対の脚柱Ｂと、各脚柱Ｂ間に所定間隔にて架設される複数のステップ材Ｃとから構成される、既存の一般的な梯子部材である。
【００１８】
図中の１は前記梯子Ａを仮設足場に固定する鋼製の梯子固定金具であって、梯子Ａの脚柱Ｂを抱持可能な平面視略コ字形状の抱持片２を所定間隔にて一対略平行に備え、これら各抱持片２の基端部２ａ同士を平板状のガイド部材３にて連結して固定金具本体４と成している。
【００１９】
前記固定金具本体４のガイド部材３の略中央部には、左右各抱持片２の基端部２ａと略平行に所定長さのスリット５を穿設している一方、該スリット５には仮設足場の横材Ｌに係止する係止クランプ６基部の支持ボルト７を挿通させてスリット５に沿って摺動自在に備えており、前記支持ボルト７先端の固定ナット７ａの締緩操作にて固定金具本体４をスリット５の長さ範囲内の所望位置で固定可能としている。
【００２０】
そして、上記構成の梯子固定金具１にて仮設足場に梯子Ａを取り付けるときには、先ず、梯子Ａを仮設足場の所望位置に立て掛けた状態で、固定金具１の固定金具本体４の抱持片２にて前記梯子Ａの一方の脚柱Ｂを抱持しつつ、ガイド部材３に備えた係止クランプ６にて仮設足場の横材Ｌに係止させる。そして、その状態で、図３（ａ）の矢印にて示すように、固定金具本体４をガイド部材３のスリット５に沿って前記横材Ｌ側に摺動させ、梯子Ａの脚柱Ｂを抱持片２と仮設足場の横材Ｌとで挟持させた後、係止クランプ６基部の支持ボルト７の固定ナット７ａを締め付けて固定させる。次いで、同様の手順にて梯子Ａの他方の脚柱Ｂも別に用意した固定金具１にて横材Ｌに固定させ、仮設足場への梯子Ａの取り付け作業を完了する。
【００２１】
このとき、梯子Ａの各脚柱Ｂは、図に示されるように、何れも固定金具１の抱持片２と仮設足場の横材Ｌとで隙間無く挟持された状態で堅固に固定されるため、例え使用中に強い衝撃等が加わっても緩んでぐらついたり外れたりするようなおそれもなく、高い作業安全性を安定して確保することができる。
【００２２】
一方、仮設足場から梯子Ａを取り外すときには、上記手順と逆の手順で行えばよく、先ず、係止クランプ６基部の支持ボルト７の固定ナット７ａを緩めた後、図３（ｂ）の矢印にて示すように、固定金具本体４をガイド部材３のスリット５に沿って横材Ｌから離間する側へ摺動させ、梯子Ａの一方の脚柱Ｂを挟持状態から解放させる。そして、係止クランプ６による仮設足場の横材Ｌへの係止を解除し、固定金具１を梯子Ａの脚柱Ｂから取り外す。次いで、同様の手順にて梯子Ａの他方の脚柱Ｂの固定金具１も取り外し、最後に梯子Ａを仮設足場から取り外して作業を完了する。
【００２３】
このように、本発明の梯子固定金具１によれば、仮設足場に対する梯子Ａの取り付け・取り外し作業が容易で作業効率に優れ、足場部材へ堅固に固定ができて作業安全性も高く、また固定金具自体がごく簡易な構成でかつ既存の一般的な梯子部材をそのまま利用でき、比較的安価なコストにて実現できて採用のし易い好適なものとなる。
【符号の説明】
【００２４】
１…梯子固定金具                  ２…抱持片
２ａ…基端部（抱持片）              ３…ガイド部材
４…固定金具本体                  ５…スリット
６…係止クランプ                  ７…支持ボルト
Ａ…梯子                          Ｂ…脚柱（梯子）
Ｃ…ステップ（梯子）              Ｌ…横材（仮設足場）
【図１】
0005633966.tif 000002
【図２】
0005633966.tif 000003
【図３】
0005633966.tif 000004